(57)【要約】【課題】装置本体のスタイル変化に拘らず、内容的に同一のメニュー画面を同一の表示部に出力可能であると共に、どのようなスタイルでもメニュー選択操作が可能であり、スタイルに応じて操作性あるいは視読性を重視したメニュー画面を表示できるようにする。【解決手段】ＣＰＵ１０１は、カメラ撮影時に撮影を中止するかを問い合わせる確認メニュー画面を表示出力させる際に、メイン操作部４が覆い隠されて操作不可能な状態の「ビュースタイル」か、操作可能な「オープンスタイル」かを第１磁気センサ８、第２磁気センサ９からの検出信号に基づいて判別する。「オープンスタイル」であれば、メイン操作部４の数値キー操作で入力された数値データによって任意のメニュー項目をダイレクト選択することが可能な選択肢情報付きのメニュー項目を複数配置して成る確認第１メニュー画面をメイン表示部３に出力させ、「ビュースタイル」であれば、確認第１メニュー画面から選択肢情報を除いた同一内容の確認第２メニュー画面をメイン表示部３に出力させる。【選択図】  図1
2006121449.tif 000002
【特許請求の範囲】
【請求項１】
装置本体を構成する複数の筐体の位置関係に応じて装置本体の形態を複数のスタイルに変更可能な携帯端末装置であって、
前記複数の筐体の位置関係を検出する検出手段と、
メニュー画面を表示出力させる際に、何れかの筐体に備えられているキー操作部が他の筐体によって覆い隠されてしまって操作不可能な状態のスタイルであるか、操作可能な状態のスタイルであるかを前記検出手段によって検出された位置関係に基づいて判別する判別手段と、
この判別手段によってキー操作部を操作可能な状態のスタイルであることが判別された際に、当該キー操作部からのキー入力データによって任意のメニュー項目をダイレクト選択することが可能な選択肢情報付きのメニュー項目を複数配置して成る第１のメニュー画面を表示部に出力させる第１の表示制御手段と、
前記判別手段によってキー操作部を操作不可能な状態のスタイルであることが判別された際に、前記第１のメニュー画面から前記選択肢情報を除いた同一内容の第２のメニュー画面を前記表示部に出力させる第２の表示制御手段と、
を具備し、装置本体のスタイルに拘らず操作可能な位置に設けられているカーソルキーによって前記第２のメニュー画面内から任意のメニュー項目を選択可能としたことを特徴とする携帯端末装置。
【請求項２】
前記装置本体は、表示部を備えた第１の筐体とキー操作部を備えた第２の筐体とがヒンジ機構部を介して開閉可能に取り付けられていると共に、第１の筐体が前記ヒンジ機構部を介して回転可能に取り付けられた折畳型・回転型の装置本体であり、
前記判別手段は、前記ヒンジ機構部を介して前記第１の筐体と第２の筐体とを開くことによって第２の筐体のキー操作部が出現している状態を操作可能なスタイルであると判別し、前記第１の筐体と第２の筐体とが開いた状態において前記ヒンジ機構部を介して第１の筐体を逆向きに回転させた後に前記ヒンジ機構部を介して第１の筐体を第２の筐体に重ね合わせることによって第２の筐体のキー操作部が第１の筐体によって覆い隠されている状態を操作不可能なスタイルであると判別する、
ようにしたことを特徴とする請求項１記載の携帯端末装置。
【請求項３】
前記装置本体は、表示部を備えた第１の筐体とキー操作部を備えた第２の筐体とを重ね合わせてスライド可能に取り付けられたスライド型の装置本体であり、
前記判別手段は、第１の筐体の下側に第２の筐体が重なり合って第２の筐体のキー操作部が第１の筐体によって覆い隠されている状態を操作不可能なスタイルであると判別し、一方の筐体を他方の筐体に対してスライドされることで第２の筐体上のキー操作部が引き出された状態を操作可能なスタイルであると判別する、
ようにしたことを特徴とする請求項1記載の携帯端末装置。
【請求項４】
前記装置本体は、表示部を備えた第１の筐体とキー操作部を備えた第２の筐体とが連結軸を介して回転可能に取り付けられた回転型の装置本体であり、
前記判別手段は、第１の筐体の下側に第２の筐体が重なり合って第２の筐体のキー操作部が第１の筐体によって覆い隠されている状態を操作不可能なスタイルであると判別し、前記連結軸を介して一方の筐体を他方の筐体に対して回転されることで第２の筐体上のキー操作部が第1の筐体の下側から出現した状態を操作可能なスタイルであると判別する、
ようにしたことを特徴とする請求項1記載の携帯端末装置。
【請求項５】
前記カーソルキーは、装置本体の周側部分のうち、装置本体のスタイルに拘らず操作可能な個所に配置されたサイドキーであると共に、前記第２のメニュー画面内の何れかの項目位置にカーソルを移動させることによって当該メニュー項目を選択指定するためのメニュー選択キーであり、
前記カーソルキーによって所望するメニュー項目を選択指定した後に、この選択メニューの実行を指示する実行キーを当該カーソルキーの近傍の前記周側部分に配置する、
ようにしたことを特徴とする請求項1記載の携帯端末装置。
【請求項６】
前記装置本体は、キー操作部を備えた外部機器が接続可能なコネクタ部を有し、
前記判別手段は、キー操作部を操作不可能な状態のスタイルであると判別した際には、さらに、前記コネクタ部に外部機器が接続されているか否かを判別し、
前記第１の表示制御手段は、キー操作部を操作不可能なスタイルであっても、前記外部機器が接続されている場合には、第１のメニュー画面を表示出力させる、
ようにしたことを特徴とする請求項1記載の携帯端末装置。
【請求項７】
前記キー操作部からのキー入力データによって任意のメニュー項目をダイレクト選択することが可能な選択肢情報は、各メニュー項目に割り当てられた数値、文字、記号、図形のうち、少なくともその何れかの情報であると共に、前記キー操作部内に配置されている複数のデータ入力キーに対応付けられた情報である、ことを特徴とする請求項1記載の携帯端末装置。
【請求項８】
コンピュータに対して、
メニュー画面を表示部に出力させる際に、何れかの筐体に備えられているキー操作部が他の筐体によって覆い隠されてしまって操作不可能な状態のスタイルであるか、操作可能な状態のスタイルであるかを複数の筐体の位置関係に基づいて判別する機能と、
前記キー操作部を操作可能な状態のスタイルであることが判別された際に、当該キー操作部からのキー入力データによって任意のメニュー項目をダイレクト選択することが可能な選択肢情報付きのメニュー項目を複数配置して成る第１のメニュー画面を表示部に出力する機能と、
前記キー操作部を操作不可能な状態のスタイルであることが判別された際に、前記第１のメニュー画面から前記選択肢情報を除いた同一内容の第２のメニュー画面を表示部に出力する機能と、
を実現させるためのプログラム。
【発明の詳細な説明】
【技術分野】
【０００１】
この発明は、装置本体を構成する複数の筐体の位置関係に応じて装置本体の形態を複数のスタイルに変更可能な携帯端末装置およびプログラムに関する。
【背景技術】
【０００２】
近年、携帯電話は、様々なデザインの機種が存在しているが、その全体の形状特性から「ストレート型の携帯電話」、「折畳型の携帯電話」、「スライド型の携帯電話」、「回転型の携帯電話」などに分類することができる。この場合、「ストレート型の携帯電話」以外は、持ち運び易さを考慮してコンパクト収納を主目的としたものであり、電話本体の形態はその可動部分によって複数のスタイルに変更することができる。たとえば、現在、普及している開閉式折畳型の携帯電話であれば、電話本体を構成する２つ筐体を折り畳んだ閉じた状態と開いた状態の２つのスタイル(クローズスタイルとオープンスタイル)に変更することができる。
【０００３】
ところで、一般に、折畳型の携帯電話において、２つ筐体を開いたオープンスタイルでメニューキーが操作されると、メインメニューを読み出してその表示部を出力させるが、２つ筐体を折り畳んだクローズスタイルでは、キー操作が不可能であるためメニュー表示を行うことはできない。そこで、従来では、折り畳んだ状態でもメニュー表示が可能であると共に、所望するメニュー項目を選択可能とした携帯型情報処理装置が知られている（特許文献１参照）。
【特許文献１】特開２００４−２２７５９９号公報
【発明の開示】
【発明が解決しようとする課題】
【０００４】
しかしながら、上述した特許文献の携帯型情報処理装置にあっては、ダイヤルキーなどの主要なキーが配置されている筐体(下部筐体)と、メイン表示部を備えた筐体(上部筐体)とを折り畳んだ状態において、上部筐体の背面側(メイン表示部の裏側)に設けられているサブ表示部にメニュー画面を表示させ、上部筐体の背面側に配置されているカーソルキーによってメニュー選択を可能としたものであるが、サブ表示部は簡単なメッセージを表示するための補助的な表示画面であり、メイン表示部に比べて画面サイズはかなり小さく、メニュー画面をサブ表示部に表示させることは、視読性が極端に悪くなり、誤認識あるいは誤操作の要因ともなる。
【０００５】
ところで、近年、カメラ付きの携帯電話のほかにも、テレビジョン受像機付き携帯電話あるいは録画したテレビ番組を再生可能な画像再生機能付きの携帯電話なども実用化され始めるなど、携帯電話の多機能化に伴ってその利用の仕方は、益々多様化し、さらに、電話本体の形態もクローズスタイル、オープンスタイル限らず、たとえば、画像再生などに適したビュースタイルなど、３種類以上のスタイルに変更可能な機種も知られている。
【０００６】
この発明の課題は、装置本体のスタイル変化に拘らず、内容的に同一のメニュー画面を同一の表示部に出力可能であると共に、どのようなスタイルでもメニュー選択操作が可能であり、さらにはスタイルに応じて操作性あるいは視読性を重視したメニュー画面を表示できるようにすることである。
【課題を解決するための手段】
【０００７】
請求項１記載の発明は、装置本体を構成する複数の筐体の位置関係に応じて装置本体の形態を複数のスタイルに変更可能な携帯端末装置であって、前記複数の筐体の位置関係を検出する検出手段と、メニュー画面を表示出力させる際に、何れかの筐体に備えられているキー操作部が他の筐体によって覆い隠されてしまって操作不可能な状態のスタイルであるか、操作可能な状態のスタイルであるかを前記検出手段によって検出された位置関係に基づいて判別する判別手段と、この判別手段によってキー操作部を操作可能な状態のスタイルであることが判別された際に、当該キー操作部からのキー入力データによって任意のメニュー項目をダイレクト選択することが可能な選択肢情報付きのメニュー項目を複数配置して成る第１のメニュー画面を表示部に出力させる第１の表示制御手段と、前記判別手段によってキー操作部を操作不可能な状態のスタイルであることが判別された際に、前記第１のメニュー画面から前記選択肢情報を除いた同一内容の第２のメニュー画面を前記表示部に出力させる第２の表示制御手段とを具備し、装置本体のスタイルに拘らず操作可能な位置に設けられているカーソルキーによって前記第２のメニュー画面内から任意のメニュー項目を選択可能としたことを特徴とする。
さらに、コンピュータに対して、上述した請求項１記載の発明に示した主要機能を実現させるためのプログラムを提供する（請求項８記載の発明）。
【０００８】
なお、請求項１記載の発明は次のようなものであってもよい。
前記装置本体は、表示部を備えた第１の筐体とキー操作部を備えた第２の筐体とがヒンジ機構部を介して開閉可能に取り付けられていると共に、第１の筐体が前記ヒンジ機構部を介して回転可能に取り付けられた折畳型・回転型の装置本体であり、前記判別手段は、前記ヒンジ機構部を介して前記第１の筐体と第２の筐体とを開くことによって第２の筐体のキー操作部が出現している状態を操作可能なスタイルであると判別し、前記第１の筐体と第２の筐体とが開いた状態において前記ヒンジ機構部を介して第１の筐体を逆向きに回転させた後に前記ヒンジ機構部を介して第１の筐体を第２の筐体に重ね合わせることによって第２の筐体のキー操作部が第１の筐体によって覆い隠されている状態を操作不可能なスタイルであると判別する（請求項２記載の発明）。
【０００９】
前記装置本体は、表示部を備えた第１の筐体とキー操作部を備えた第２の筐体とを重ね合わせてスライド可能に取り付けられたスライド型の装置本体であり、前記判別手段は、第１の筐体の下側に第２の筐体が重なり合って第２の筐体のキー操作部が第１の筐体によって覆い隠されている状態を操作不可能なスタイルであると判別し、一方の筐体を他方の筐体に対してスライドされることで第２の筐体上のキー操作部が引き出された状態を操作可能なスタイルであると判別する（請求項３記載の発明）。
【００１０】
前記装置本体は、表示部を備えた第１の筐体とキー操作部を備えた第２の筐体とが連結軸を介して回転可能に取り付けられた回転型の装置本体であり、前記判別手段は、第１の筐体の下側に第２の筐体が重なり合って第２の筐体のキー操作部が第１の筐体によって覆い隠されている状態を操作不可能なスタイルであると判別し、前記連結軸を介して一方の筐体を他方の筐体に対して回転されることで第２の筐体上のキー操作部が第1の筐体の下側から出現した状態を操作可能なスタイルであると判別する（請求項４記載の発明）。
【００１１】
前記カーソルキーは、装置本体の周側部分のうち、装置本体のスタイルに拘らず操作可能な個所に配置されたサイドキーであると共に、前記第２のメニュー画面内の何れかの項目位置にカーソルを移動させることによって当該メニュー項目を選択指定するためのメニュー選択キーであり、前記カーソルキーによって所望するメニュー項目を選択指定した後に、この選択メニューの実行を指示する実行キーを当該カーソルキーの近傍の前記周側部分に配置する（請求項５記載の発明）。
【００１２】
前記装置本体は、キー操作部を備えた外部機器が接続可能なコネクタ部を有し、
前記判別手段は、キー操作部を操作不可能な状態のスタイルであると判別した際には、さらに、前記コネクタ部に外部機器が接続されているか否かを判別し、前記第１の表示制御手段は、キー操作部を操作不可能なスタイルであっても、前記外部機器が接続されている場合には、第１のメニュー画面を表示出力させる（請求項６記載の発明）
【００１３】
前記キー操作部からのキー入力データによって任意のメニュー項目をダイレクト選択することが可能な選択肢情報は、各メニュー項目に割り当てられた数値、文字、記号、図形のうち、少なくともその何れかの情報であると共に、前記キー操作部内に配置されている複数のデータ入力キーに対応付けられた情報である（請求項７記載の発明）。
【発明の効果】
【００１４】
請求項１記載の発明によれば、メニュー画面を表示出力させる際に、何れかの筐体に備えられているキー操作部が他の筐体によって覆い隠されてしまって操作不可能な状態のスタイルであるか、操作可能な状態のスタイルであるかを複数の筐体の位置関係に基づいて判別し、キー操作部を操作可能な状態のスタイルであれば、キー操作部からのキー入力データによって任意のメニュー項目をダイレクト選択することが可能な選択肢情報付きのメニュー項目を複数配置して成る第１のメニュー画面を表示部に出力させ、キー操作部を操作不可能な状態のスタイルであれば、第１のメニュー画面から選択肢情報を除いた同一内容の第２のメニュー画面を表示部に出力させるようにしたから、装置本体のスタイル変化に拘らず、内容的に同一のメニュー画面を同一の表示部に出力可能であると共に、どのようなスタイルでもメニュー選択操作が可能であり、さらにはスタイルに応じて操作性あるいは視読性を重視したメニュー画面を表示することができる。
【００１５】
すなわち、第１のメニュー画面には、キー操作部からのキー入力データによって任意のメニュー項目をダイレクト選択することが可能な選択肢情報付きのメニュー項目が配置されているので、キー操作部からのダイレクト選択によって素早い選択操作が可能となり、また、第２のメニュー画面には、第１のメニュー画面から選択肢情報を除いた同一内容のメニュー項目が配置されているので、選択肢情報を除いた分だけメニュー項目の表示サイズを大きくすることができるなど、視読性を高めることが可能となるほか、表示部のサイズ的な制約、解像度(画質)などに影響されることなく、どのようなスタイルでも、同様の表示形態で同一内容のメニュー画面を表示出力させることが可能となる。
【００１６】
この場合、請求項１記載の発明は、折畳型で部分的に回転可能な複合型の装置本体(請求項２記載の発明)、またはスライド型の装置本体(請求項３記載の発明)、さらには回転型の装置本体(請求項４記載の発明)にも同様に適用可能であり、同様の効果を有する。
また、カーソルキーは、装置本体の周側部分に配置すると共に、選択メニューの実行を指示する実行キーもカーソルキーの近傍に配置したから(請求項５記載の発明)、どのようなスタイルでも操作可能となる。また、キー操作部を備えた外部機器が接続された場合には、第１のメニュー画面を表示出力するようにしたから(請求項６記載の発明)、外部機器側からのキー操作によってメニュー選択が可能となる。選択肢情報は、各メニュー項目に割り当てられた数値、文字、記号、図形のうち、少なくともその何れかの情報であると共に、キー操作部内に配置されている複数のデータ入力キーに対応付けられた情報であるから、選択肢情報とキーとの対応関係によってダイレクト操作が可能となる。
【発明を実施するための最良の形態】
【００１７】
以下、図１〜図９を参照して本発明の実施例を説明する。
図１は、この実施例における折畳・回転型(複合型)のカメラ付き携帯電話装置の外観図であり、(Ａ)は、装置本体を閉じた状態を示した正面図、(Ｂ)は、装置本体を開いた状態の正面図、(Ｃ)は、装置本体を開いた状態の背面図である。
この装置本体は、２つの筐体１、２から構成されており、メイン表示部３を備えた第１の筐体(上部筐体)１と、キー操作部４を備えた第２の筐体(下部筐体)２とは、ヒンジ機構部(連結部)５を介して取り付けられている。このヒンジ機構部５は、上部筐体１と下部筐体２とを開閉可能に連結する折畳構造(開閉ヒンジ機構)のほかに、下部筐体２に対して上部筐体１を１８０°回転可能に連結する回転構造(回転ヒンジ機構)を有している。この場合、上部筐体１と下部筐体２とを開いた状態において、ヒンジ機構部５を構成する回転支軸６を介して上部筐体１を１８０°回転させることによって上部筐体１のメイン表示部３を逆向き(背面側)に反転させることが可能となっている。
【００１８】
図２(Ａ)は、上部筐体１を１８０°回転させてメイン表示部３を逆向き(背面側)に反転させた状態を示し、(Ｂ)は、メイン表示部３を逆向きに回転させた状態から上部筐体１を下部筐体２に重ね合わせた状態を示した図である。
以下、図１(Ａ)に示すように、上部筐体１が下部筐体２に重なり合っている状態を「クローズスタイル」と呼称し、また、図１(Ｂ)に示すように、上部筐体１と下部筐体２とが開いた状態を「正転オープンスタイル」、図２(Ａ)に示すように、メイン表示部３を逆向きにに回転させた状態が「反転オープンスタイル」、図２(Ｂ)に示すように、メイン表示部３を逆向きに回転させた状態から上部筐体１を下部筐体２に重ね合わせた状態を「ビュースタイル」と呼称する。なお、「反転オープンスタイル」は、「正転オープンスタイル」から「ビュースタイル」に変更する過程での過渡的なスタイルであるが、相手に画面を見せるときにも使用可能なスタイルである。
【００１９】
上筐体１においてメイン表示部３の右上角部の近傍には、図１(Ｂ)に示すように、通話機能を構成する音声スピーカ(たとえば、ダイナミックスピーカなど)７が配置されており、また、下部筐体２においてキー操作部４の右下の角部近傍には、第１磁気センサ８が配置され、また、キー操作部４の左下の角部近傍には、第２磁気センサ９が配置されている。この音声スピーカ７、第１磁気センサ８、第２磁気センサ９は、複数の筐体１、２の位置関係から装置本体のスタイルを検出するスタイル検出部を構成するもので、「クローズスタイル」では、音声スピーカ７と第１磁気センサ８とが直接的に相対向し、また、「ビュースタイル」では、音声スピーカ７と第２磁気センサ９とが上筐体１を介して間接的に相対向することによって第１磁気センサ８、第２磁気センサ９は、音声スピーカ７の永久磁石からの磁界に反応してオンとなり、ハイレベルの検出信号を出力する。
【００２０】
したがって、「クローズスタイル」では、第１磁気センサ８の検出信号のみがハイレベルとなり、「ビュースタイル」では、第２磁気センサ９の検出信号のみがハイレベルとなり、「オープンスタイル」では、第１および第２磁気センサ８、９の検出信号が共にローレベルとなるため、第１および第２磁気センサ８、９の検出信号に基づいて現在のスタイルを判別することが可能となる。なお、複数の筐体１、２の位置関係から装置本体のスタイルを検出する磁気センサ８、９は、たとえば、デジタルタイプのホール素子などによって構成されたものであるが、磁気センサに限らず、電気的、機構的、光学的手段の何れかあるいはそれらの組み合わせによって現在のスタイルを検出するようにしてもよい。
【００２１】
一方、下部筐体２に設けられたキー操作部(以下、メイン操作部と呼称する)４には、図１(Ｂ)、図２(Ａ)に示すように、メインメニューを呼び出すためのメニューキー４Ａ、メールメニューを呼び出すためのメールキー４Ｂ、電話帳を呼び出すための電話帳キー４Ｃ、４方向に対応してメニュー項目などを選択するカーソルキー４Ｄと、このカーソルキー４Ｄで選択された項目を決定するときなどに使用される決定キー４Ｅのほか、通話発信の開始／応答受信(オンフック)を指示する開始キー４Ｆと、電源オン／オフキー４Ｇ、ダイアル入力、数値、文字入力などを行う数値キー４Ｈなどが設けられている。なお、数値キー４Ｈは、数値“０”〜“９”に対応するテンキー、“＃”、“＊”、“記号”キーを有する構成で、各キーには、“ひらがな文字”、“アルファベット文字”などが割り当てられている。
【００２２】
また、下部筐体２には、上述したメイン操作部４のほかに、その両側部にはサブ操作部１０が配置されている。このサブ操作部１０は、「クローズスタイル」、「反転オープンスタイル」、「ビュースタイル」など、どのようなスタイルであっても操作可能となるように、下部筐体２の両側部に配置されたサイドキーであり、このサブ操作部１０には、メニュー画面を呼び出すためのメニューキー１０Ａと、メニュー画面の中から任意のメニュー項目を選択する際には、上方向にカーソルを移動させることによって所望するメニュー項目を選択するための上カーソルキー１０Ｂと、下方向にカーソルを移動させることによって所望するメニュー項目を選択するための下カーソルキー１０Ｃと、選択されたメニュー項目の実行メニューとして決定するための決定キー１０Ｄなどが配置されている。
【００２３】
上部筐体１に設けられたメイン表示部３は、たとえば、カラー液晶画面であり、縦横比の異なる高精細ディスプレイである。このメイン表示部３は、待受画面、メニュー画面、メール作成画面、電話帳出力画面、カメラ撮影時のファインダ画面、カメラ画像の再生画面等として機能する。また、図１(Ｃ)に示すように、上部筐体１の背面側(メイン表示部３の反対側)には、サブ表示部１１が設けられており、また、下部筐体２の背面側(メイン操作部４の反対側)には、カメラ用の撮影レンズ１２が設けられている。そして、この実施例においては、カメラ撮影時にファインダ画面として機能しているメイン表示部３のモニタ画像を確認しながらカメラ撮影を行う際には、図１(Ｂ)の「正転オープンスタイル」、図２(Ｂ)の「ビュースタイル」の何れかで行うようにしているが、その際、キー操作によってメニュー表示が指示されると、メイン表示部３には撮影を中止するかを問い合わせるための確認メニュー画面が表示される。
【００２４】
図３は、カメラ撮影時に表示される確認メニュー画面を示し、(Ａ)は、「正転オープンスタイル」で表示される確認第１メニュー画面を示し、(Ｂ)は、「ビュースタイル」で表示される確認第２メニュー画面を示している。なお、図３は、ムービー撮影時の確認メニューを例示したもので、この確認メニュー画面は、ムービー撮影を中止するかを問い合わせるための案内メッセージ「中止しますか？」のほか、「中止する」、「中止しない」、「保存する」の各メニュー項目を一覧表示するメニュー画面であ。なお、この実施例においては、確認メニュー画面のうち、現在アクティブ状態となっているメニュー項目を点滅させることによってハイライト表示するようにしている。
【００２５】
また、「正転オープンスタイル」対応の確認第１メニュー画面は、図３(Ａ)に示すように、その各メニュー項目の先頭部分に、メイン操作部４からのキー入力データ“１”〜“３”によって任意のメニュー項目をダイレクト選択することが可能な選択肢情報として「一連Ｎｏ」が付加されている。この場合、この選択肢情報は、「中止する」の項目に対応して“１”が付加され、「中止しない」の項目に対応して“２”が付加され、「保存する」の項目に対応して“３”が付加されている。なお、この実施例において選択肢情報は、マトリックス構成のメイン操作部４の２列目において横並び状態の数値キー“１”、“２”、“３”に対応付けるようにしたが、メイン操作部４の１行目において縦並び状態の数値キー“１”、“４”、“７”に対応付けるようにすれば、メニュー項目の並び方向と数値キーの並び方向とを一致させることができ、操作性を向上させることが可能となる。その他、選択肢情報は、数値に限らず、アルファベット文字、記号などであってよく、メイン操作部４に備えられ、かつ、そのキーに１対１に対応付けられていてワンタッチ操作が可能なものであれば、その内容は任意である。
【００２６】
「ビュースタイル」に対応付けられている確認第２メニュー画面は、図３(Ｂ)に示すように、確認第１メニュー画面から選択肢情報を除いた同一内容のメニュー項目を表示するもので、図３(Ｂ)においては、メイン表示部３を横長状態とした「ビュースタイル」での確認メニュー画面を示している。すなわち、確認第２メニュー画面は、上述と同様に、ムービー撮影を中止するかを問い合わせるための案内メッセージ「中止しますか？」のほか、「中止する」、「中止しない」、「保存する」の各メニュー項目を一覧表示するメニュー画面であるが、確認第１メニュー画面から選択肢情報を除いた内容となっている。この場合、各メニュー項目は、選択肢情報を除いた分だけ文字サイズを大きくすると共に、各文字間(文字ピッチ)を広くしてメイン表示部３の全体を有効に使用した画面内容となっている。そして、この確認第２メニュー画面の中から所望するメニュー項目を選択指定する際には、下部筐体２の両側部に配置したサイドキーとしてのサブ操作部１０、つまり、上カーソルキー１０Ｂあるいは下カーソルキー１０Ｃと、決定キー１０Ｄを使用して行うようにしている。
【００２７】
図４は、確認メニュー画面対応のコマンドテーブル１３の内容を示した図である。
このコマンドテーブル１３は、確認メニュー画面内の選択メニューに対応するコマンドを定義するもので、選択肢情報である「数値」“１”〜“３”とその「項目名」と「コマンド」とを対応付けたテーブルである。すなわち、「数値」“１”に対応してその「項目名」として、“中止する”、「コマンド」として“中止コマンド”が設定され、また、「数値」“２”に対応してその「項目名」として、“中止しない”、「コマンド」として“再開コマンド”が設定され、さらに、「数値」“３”に対応してその「項目名」として、“保存する”、「コマンド」として“保存コマンド”が設定されている。
【００２８】
図５は、折畳・回転型(複合型)のカメラ付き携帯電話装置の基本的な構成要素を示したブロック図である。
ＣＰＵ１０１は、記憶部１０２内の各種のプログラムに応じてこの携帯電話装置の全体動作を制御する中央演算処理装置である。記憶部１０２は、不揮発性メモリ(内部メモリ)であり、たとえば、ＲＯＭ(フラッシュメモリなど)によって構成され、プログラム領域とデータ領域とを有し、このプログラム領域には、後述する図６〜図８に示す動作手順に応じて本実施例を実現するためのプログラムが格納されている。メモリ(たとえば、スタティックＲＡＭ)１０３は、ワーク領域を有する内部メモリであり、また、メモリカード１０４は、着脱自在な記録メディアであり、たとえば、スマートメディア、ＩＣカード、メモリスティックなどによって構成され、ＲＡＭ１０３との間において画像データなどの授受が行われる。
【００２９】
ＣＰＵ１０１には、通信データ処理部１０５、オーディオインターフェイス１０６が接続されており、アンテナ１０７からの受信電波が無線部１０８によって検波、復調されると共にデジタル変換されて通信データ処理部１０５に与えられると、通信データ処理部１０５は、通話呼出、メール受信、インターネット受信かを判別し、通話呼出あるいはメール受信であれば、ＣＰＵ１０１は、音源ＩＣ部１０９に設定されている着信音を読み出してアンプ(ＡＭＰ)１１０に与え、報知用スピーカ１１１から着信音を発生出力させると共に、表示制御部１１２を介して報知用ＬＥＤ１１３を点灯駆動させる。さらに、ＣＰＵ１０1は、通話呼出であれば、オンフック操作(応答操作)に応じて通話相手先との接続が確立されると、通信データ処理部１０５からの音声データをオーディオインターフェイス１０６を介して音声スピーカ７から発生出力させる。マイクロホン１１４からの入力音声は、オーディオインターフェイス１０６、通信データ処理部１０５を介して無線部１０８に与えられて変調された後にアンテナ１０７から発信出力される。
【００３０】
また、ＣＰＵ１０１には、その入出力周辺デバイスである上部筐体１側のメイン操作部４と下部筐体２側のサブ操作部１１、上部筐体１側のメイン表示部３、第１磁気センサ８、第２磁気センサ９のほか、カメラ撮像制御部１１５、充電コネクタ部１１６、外部コネクタ１１７が接続されている。ＣＰＵ１０１は、第１磁気センサ８、第２磁気センサ９からの検出信号に基づいて装置本体の現在のスタイルとして「オープンスタイル」か、「クローズスタイル」か、「ビュースタイル」かを判別し、スタイルに応じたメニュー画面を表示出力させるようにしている。
【００３１】
なお、カメラ撮像制御部１１５は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備えたもので、光学ズームを調整制御したり、オートフォーカス時の駆動制御、シャッター駆動制御、露出、ホワイトバランス等を制御する。また、充電コネクタ部１１６は、充電スタンド(図示せず)に接続されるもので、充電スタンドからの充電電流によって携帯電話内の２次電池が充電される。
【００３２】
外部コネクタ１１７は、外部キーボード (図示せず)が着脱自在に接続されるもので、ＣＰＵ１０１は、装置本体のスタイルが「ビュースタイル」の場合には、上述したように、図３(Ｂ)に示す確認第２メニュー画面を表示出力させるが、「ビュースタイル」であっても外部コネクタ１１７に外部キーボードが接続されている場合には、図３(Ａ)に示した確認第１メニュー画面を表示するようにしている。なお、外部キーボードは、テンキー(数値キー)、文字キーなどを備えた入力拡張用のキーボード装置であり、ＣＰＵ１０1は、この外部キーボードが接続された際には、キー入力されたデータに基づいて確認第１メニュー画面内の選択肢情報をダイレクトに選択指定するようにしている。
【００３３】
次ぎに、この実施例における携帯電話装置の動作概念を、図６〜図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３４】
図６〜図８は、電源投入に伴って実行開始される携帯電話装置の動作を示したフローチャートである。
先ず、ＣＰＵ１０１は、電源投入に伴って待受モードとなり、予め設定されている壁紙用の待受画像が読み出されてメイン表示部３に貼り付け表示される (ステップＳ１)。この待受状態において、通話着信あるいはメール受信を検出すると(ステップＳ２でＹＥＳ)、報知用スピーカ１１１から着信音を出力させると共に、報知用ＬＥＤ１１３を点滅駆動させて着信報知を行うと共に、着信対応処理が行われる(ステップＳ３)。この場合、電話着信時には、オンフック操作(応答操作)に応じて通話可能状態となり、通話を切るオフフック操作(終了操作)が行われるまで電話着信処理が継続される。また、メール受信時には、受信メールをメールボックスに格納した後に、メール開封操作に応じて受信メールをメイン表示部３に表示させる。
【００３５】
その後、ステップＳ１に戻って待受状態となる。また、ＣＰＵ１０１は、メイン操作部４あるいはサブ操作部１０の何れかのキーが操作されたことを検出した際には(ステップＳ４でＹＥＳ)、メイン操作部４のメニューキー４Ａが操作されたのか、サブ操作部１０のメニューキー１０Ａが操作されたのかをチェックする(ステップＳ５)。ここで、操作キーがメニューキー４Ａ、１０Ａ以外のキーであれば(ステップＳ５でＮＯ)、この操作キーに対応するキー入力処理を実行するが(ステップＳ６)、メニューキー４Ａ、１０Ａが操作された場合には、その操作に応答してトップメニュー画面を表示出力させる(ステップＳ７)。
【００３６】
図９は、トップメニュー画面の内容を示した図で、このメニュー画面には、「アプリ」、「カメラ」、「ムービー」、「Ｗｅｂ」、「メール」、「設定」に対応してそのメニュー項目名が一覧表示される。なお、「アプリ」のメニュー項目は、アプリケーション処理としてのメール作成ソフト電話帳作成ソフト、計算ソフトなどを呼び出すためのメニュー項目であり、「カメラ」は、スチルカメラとして画像撮影を行う際のメニュー項目、「ムービー」は、ビデオカメラとして画像撮影を行う際のメニュー項目、「Ｗｅｂ」は、インターネット接続してＷｅｂページを閲覧するときのメニュー項目であり、「設定」は、暗証Ｎｏなどを設定する際のメニュー項目である。なお、この実施例においては、トップメニュー画面のうち、現在アクティブ状態となっているメニュー項目の全体を点滅させることによって、ハイライト表示するようにしている。
【００３７】
このようなトップメニュー画面が表示されている状態において、ＣＰＵ１０１は、キー操作の有無をチェックし(ステップＳ８)、メイン操作部４のカーソルキー４Ｄ、サブ操作部１０のカーソルキー１０Ｂ、１０Ｃのうち、その何れかが操作されたことを検出すると(ステップＳ９でＹＥＳ)、トップメニュー画面内においてハイライト表示(点滅表示)がカーソル操作に応じて移動させる(ステップＳ１０)。これによって所望するメニュー項目を選択指定した後、その選択メニューの実行を指示するためにメイン操作部４の決定キー４Ｅあるいはサブ操作部１０の決定キー１０Ｄが操作されると (ステップＳ１１でＹＥＳ)、トップメニュー画面内において現在のハイライト表示されているメニュー項目は、「ムービー」か否かをチェックする(ステップＳ１２)。ここで、「ムービー」以外のメニュー項目であれば、そのメニュー項目に対応する処理を実行した後に(ステップＳ１３)、ステップＳ２に戻る。
【００３８】
一方、トップメニュー画面の中から「ムービー」のメニュー項目が選択指定されて、その実行が指示された場合には(ステップＳ１２でＹＥＳ)、ビデオカメラ機能を起動させた後(ステップＳ１４)、図７のステップＳ１５に移り、カメラ撮像制御部１１５からムービーモニタを取得してメイン表示部３に表示出力させる。そして、キー操作待ち状態において(ステップＳ１６)、録画の開始を指示するためのキー、つまり、メイン操作部４の決定キー４Ｅあるいはサブ操作部１０の決定キー１０Ｄが録画開始キーとして操作された場合には(ステップＳ１７でＹＥＳ)、ムービー録画を開始し(ステップＳ１８)、撮影画像を逐次取り込みながらメモリ１０３に転送して画像記録を行う(ステップＳ１９)。
【００３９】
なお、ムービー録画の終了を指示するためのキー、つまり、メイン操作部４のメニューキー４Ａあるいはサブ操作部１０のメニューキー１０Ａが録画終了キーとして操作された場合には(ステップＳ２６でＹＥＳ)、図６のステップＳ２に戻り、また、上述の録画開始キー、録画終了キー以外のキーが操作された場合には(ステップＳ１７およびＳ２６でＮＯ)、たとえば、ズームイン／ズームアウト操作が行われた場合には、それに応じてカメラ撮像制御部１１５に対して光学ズームの調整を指示するなど、操作キー対応処理(カメラ制御処理)を実行した後に(ステップＳ２７)、モニタ表示に戻る(ステップＳ１５)。
【００４０】
いま、録画開始が指示されて撮影画像を逐次記録しているムービー録画中において、メイン操作部４のメニューキー４Ａあるいはサブ操作部１０のメニューキー１０Ａが録画を途中で中止させるための中止キーとして操作された場合には(ステップＳ２０でＹＥＳ)、ＣＰＵ１０１は、この録画中止の指示に応答してムービー録画を中止するのかを問い合わせるための確認メニュー画面を表示出力させながら対話形式でその問い合わせを確認するための確認メニュー処理に移る(ステップＳ２１)。
【００４１】
図８は、確認メニュー処理(ステップＳ２１)を詳述するためのフローチャートである。
先ず、ＣＰＵ１０１は、第１磁気センサ８  第２磁気センサ９からの検出信号に基づいて現在のスタイルは、「オープンスタイル」か「ビュースタイル」かを調べる(ステップＳ３０)。ここで、第１および第２磁気センサ８、９からの検出信号が共にローレベルであれば、「オープンスタイル」であると判別して(ステップＳ３１でＹＥＳ)、図３(Ａ)に示した内容の確認第1メニュー画面をメイン表示部３に出力させた後(ステップＳ３２)、キー入力待ち状態となる(ステップＳ３３)。
【００４２】
この確認第１メニュー画面は、上述したように各メニュー項目に選択肢情報として、“１”〜“３”の一連Ｎｏが付加表示されているので、メイン操作部４の数値キー４Ｈのうち、“１”〜“３”対応のキーが操作された際には(ステップＳ３４でＹＥＳ)、操作された数値キー４Ｈに対応するキー入力データに基づいて該当するメニュー項目をダイレクト選択すると共に、この選択項目対応の「数値データ」に基づいてコマンドテーブル１３を検索し、対応するコマンドを読み出した後(ステップＳ３５)、図７のステップＳ２２に移ってコマンドの種類を判別する。
【００４３】
ここで、コマンドテーブル１３から取得したコマンドが「中止コマンド」であれば、録画開始から現時点までにメモリ１０３に録画されている全て画像を削除する処理を実行し(ステップＳ２３)、また、「再開コマンド」であれば、録画動作を継続させるためにステップＳ１９に戻り、また、「保存コマンド」であれば、録画開始から現時点までにメモリ１０３に録画されている全て画像をメモリカード１０４に書き込んで記録保存させる(ステップＳ２４)。そして、「中止コマンド」、「保存コマンド」の場合には、メイン操作部４のメニューキー４Ａあるいはサブ操作部１０のメニューキー１０Ａが録画終了キーとして操作されたかをチェックし(ステップＳ２５)、録画終了キーが操作されるまでステップＳ１９に戻るが、録画終了キー(メニューキー)が操作された場合には、図６のステップＳ２に戻る。
【００４４】
一方、ＣＰＵ１０１は、第１磁気センサ８  第２磁気センサ９からの検出信号に基づいて現在のスタイルを判別した結果、第２磁気センサ９の検出信号のみがハイレベルであれば、現在、「ビュースタイル」にセットされていると判別する(図８のステップＳ３１でＮＯ)。この場合、ＣＰＵ１０１は、外部コネクタ１１７をアクセスすることによって外部キーボードが接続されているかを判別し(ステップＳ３６)、外部キーボードが接続されている場合には、この外部キーボードの数値キーによってメニュー項目をダイレクトに選択可能であるあるため、ステップＳ３２に移って、上述の確認第１メニュー画面を表示出力させる。この場合、ＣＰＵ１０1は、この外部キーボードからキー入力された数値データに基づいて確認第１メニュー画面内の選択肢情報をダイレクトに選択指定する。
【００４５】
また、「ビュースタイル」にセットされている状態において、ＣＰＵ１０１は、外部キーボードが接続されていないことを条件として(ステップＳ３６でＮＯ)、図３(Ｂ)に示した確認第２メニュー画面をメイン表示部３に出力させる(ステップＳ３７)。そして、キー操作待ち状態において(ステップＳ３８)、サブ操作部１０の上カーソルキー１０Ｂあるいは下カーソルキー１０Ｃが操作された際には(ステップＳ３９でＹＥＳ)、確認第２メニュー画面内において、操作されたカーソルキーに応じてその方向に現在のハイライト表示を移動表示させる (ステップＳ４０)。
【００４６】
これによって所望するメニュー項目をアクティブメニューとして選択指定した後において、その選択メニューの実行を指示するために、サブ操作部１０の決定キー１０Ｄが操作されると (ステップＳ４１でＹＥＳ)、ハイライト表示されている選択項目に基づいてコマンドテーブル１３を検索して、対応するコマンドを読み出す(ステップＳ４２)。そして、図７のステップＳ２２に移り、コマンドテーブル１３から読み出されたコマンドの種類を判別する。以下、上述と同様に、コマンドに応じて処理が実行される(図７のステップＳ２２〜Ｓ２５)。
【００４７】
以上のように、この実施例においてＣＰＵ１０１は、カメラ撮影時にムービー撮影を中止するかを問い合わせるための確認メニュー画面を表示出力させる際に、メイン操作部４が覆い隠されてしまって操作不可能な状態の「ビュースタイル」か、操作可能な状態の「オープンスタイル」かを第１磁気センサ８、第２磁気センサ９からの検出信号に基づいて判別し、「オープンスタイル」であれば、メイン操作部４の数値キー操作で入力された数値データによって任意のメニュー項目をダイレクト選択することが可能な選択肢情報(数値情報)付きのメニュー項目を複数配置して成る確認第１メニュー画面(図３(Ａ)参照)をメイン表示部３に出力させ、「ビュースタイル」であれば、確認第１メニュー画面から選択肢情報を除いた同一内容の確認第２メニュー画面(図３(Ｂ)参照)をメイン表示部３に出力させるようにしたから、装置本体のスタイル変化に拘らず、内容的に同一の確認メニュー画面を同一のメイン表示部３に出力可能であると共に、どのようなスタイルでもメニュー選択操作が可能であり、さらにはスタイルに応じて操作性あるいは視読性を重視した確認メニュー画面を表示することができる。
【００４８】
すなわち、確認第１メニュー画面には、メイン操作部４からのキー入力データによって任意のメニュー項目をダイレクト選択することが可能な選択肢情報付きのメニュー項目が配置されているので、ダイレクト選択によって素早い選択操作が可能となり、また、確認第２メニュー画面には、確認第１メニュー画面から選択肢情報を除いた同一内容のメニュー項目が配置されているので、選択肢情報を除いた分だけ各メニュー項目の表示サイズを大きくすることができるなど、視読性を高めることが可能となるほか、表示部のサイズ的な制約、解像度(画質)などに影響されることなく、どのようなスタイルでも、同様の表示形態で同一内容の確認メニュー画面を表示出力させることが可能となる。
【００４９】
また、サブ操作部１０を構成するメニューキー１０Ａ、上カーソルキー１０Ｂ、下カーソルキー１０Ｃ、決定キー１０Ｄは、装置本体のサイド面に配置したから、どのようなスタイルでも操作可能となる。また、ＣＰＵ１０１は、「ビュースタイル」にセットされている状態であっても、外部キーボードが接続されている場合には、確認第１メニュー画面を表示出力するようにしたから、外部キーボードからのキー操作によってダイレクトなメニュー選択が可能となる。
【００５０】
なお、上述した実施例においては、折畳・回転型(複合型)のカメラ付き携帯電話装置に適用した場合を例示したが、折畳・回転型(複合型)に限らず、たとえば、回転型の携帯電話装置、スライド型の携帯電話装置にも同様に適用可能である。
図１０(Ａ)〜(Ｃ)は、回転型の携帯電話装置、図１１〜図１３は、スライド型の携帯電話装置を説明するための図である。この回転型、スライド型の携帯電話装置においても、上述した折畳・回転型(複合型)と同様に、装置本体のスタイル変化に拘らず、内容的に同一の確認メニュー画面を同一の表示部に出力可能であると共に、どのようなスタイルでもメニュー選択操作が可能としたものである。
【００５１】
回転型の携帯電話装置において、その装置本体は、図１０(Ａ)〜(Ｃ)に示すように、２つの筐体２０１、２０２とを有し、表示部２０３およびキー操作部(サブ操作部)２０４を備えた上部筐体２０１と、キー操作部(メイン操作部)２０５を備えた下部筐体２０２とが連結軸 (回転支軸)２０６を介して回転可能に取り付けられた回転型の装置本体である。
ここで、図１０(Ａ)は、装置本体を閉じて状態、つまり、上部筐体２０１と下部筐体２０２とを重ね合わせた状態(クローズスタイル)を示し、(Ｂ)は、連結軸 (回転支軸)２０６を中心として下部筐体２０２を回転し始めた途中の過渡状態を示し、(Ｃ)は、装置本体を開いた状態、つまり、上部筐体２０１と下部筐体２０２とが直線的になるように上部筐体２０１を１８０°回転させた状態(オープンスタイル)を示している。
【００５２】
この場合、上述したクローズスタイル、オープンスタイルの検出は、たとえば、回転支軸２０６の近傍に設けた磁気センサと磁石 (図示せず)によって行い、上部筐体２０１を１８０°回転させることによって磁気センサが「オフ」から「オン」に切り換わるようにすれば、このスイッチ信号に基づいて現在のスタイルを検出することが可能となる。なお、この場合においても、磁気的、電気的、機構的、光学的な手段の何れかあるいはそれらの組み合わせによって現在のスタイルを検出するようにしてもよい。ここで、図１０(Ａ)の状態を「クローズスタイル」、図１０(Ｃ)の状態を「オープンスタイル」とすれば、「オープンスタイル」では、図３(Ａ)に示した確認第１メニュー画面を表示出力させ、「クローズスタイル」では、図３(Ｂ)に示した確認第２メニュー画面を表示出力させればよい。
【００５３】
キー操作部(サブ操作部)２０４には、メニューキー２０４Ａ、４方向のカーソルキー２０４Ｂ、決定キー２０４Ｃが設けられており、「クローズスタイル」において、確認第２メニュー画面が表示出力されている状態でカーソルキー２０４Ｂを操作することによって所望するメニュー項目を選択指定し、決定キー２０４Ｃを操作することによって選択メニューの実行を指示するようにすればよい。また、「オープンスタイル」において、確認第１メニュー画面が表示出力されている状態でキー操作部(メイン操作部)２０５上に設けられている数値キー(図示せず)を操作することによって所望するメニュー項目をダイレクトに選択指定すればよい。
【００５４】
また、スライド型の携帯電話装置において、図１１(Ａ)は、装置本体を閉じた状態(クローズスタイル)を示し、(Ｂ)は、装置本体を開いた状態(オープンスタイル)を示した正面図である。
この装置本体は、２つの筐体３０１、３０２から構成されており、表示部３０３およびキー操作部(サブ操作部)３０４を備えた上部筐体３０１と、キー操作部(メイン操作部)３０５を備えた下部筐体３０２とを重ね合わせてスライド可能に取り付けられたスライド型の装置本体である。ここで、キー操作部(サブ操作部)３０４には、メニューキー３０４Ａ、４方向のカーソルキー３０４Ｂ、決定キー３０４Ｃが設けられており、キー操作部(メイン操作部)３０５には、数値キー(図示せず)などが設けられている。
【００５５】
図１２は、携帯電話装置のスライド構造を説明するための図であり、上部筐体３０１と下部筐体３０２とを分解した状態を示している。
上部筐体３０１の下面においてその両縁部には、断面Ｌ型状の一対のレール部材３０６a、３０６ｂが敷設され、また、下部筐体３０２の上面においてキー操作部(メイン操作部)３０５以外の両縁部には、断面Ｌ型状の一対のレール部材３０７ａ、３０７ｂが敷設されている。この場合、上部筐体３０１側のレール部材３０６a、３０６ｂと下部筐体３０２側のレール部材３０７ａ、３０７ｂとを互に掛かり合わせることで、上部筐体３０１と下部筐体３０２とがスライド可能に連結されている。なお、上部筐体３０１側のレール部材３０６a、３０６ｂに比べて下部筐体２側のレール部材７ａ、７ｂの長さは短く、少なくとも、キー操作部３０５の縦幅(スライド方向の長さ)以上短くすることによって「オープンスタイル」にセットした際に、キー操作部(メイン操作部)３０５の全てが出現するようにしている。
【００５６】
また、「クローズスタイル」にセットされているか、「オープンスタイル」にセットされているかを検出可能とするために、上部筐体３０１の下面所定位置にはマグネット３０８が設けられ、また、下部筐体３０２の上面所定位置には磁気センサ３０９が設けられている。すなわち、マグネット３０８と磁気センサ３０９は、現在のスタイルを検出するスタイル検出部を構成するもので、図１３に示すように、「オープンスタイル」ではマグネット３０８と磁気センサ３０９とが対向することによって磁気センサ３０９の検出信号がハイレベルとなるが、「クローズスタイル」ではマグネット３０８と磁気センサ３０９とが離間することによって磁気センサ３０９の検出信号がローレベルとなる。
【００５７】
この場合、図１１(Ｂ)の「オープンスタイル」では、図３(Ａ)に示した確認第１メニュー画面を表示出力させ、図１１(Ａ)の「クローズスタイル」では、図３(Ｂ)に示した確認第２メニュー画面を表示出力させればよい。そして、「クローズスタイル」において、確認第２メニュー画面が表示出力されている状態でカーソルキー３０４Ｂを操作することによって所望するメニュー項目を選択指定し、決定キー３０４Ｃを操作することによって選択メニューの実行を指示するようにすればよい。また、「オープンスタイル」において、確認第１メニュー画面が表示出力されている状態でキー操作部(メイン操作部)３０５上に設けられている数値キー(図示せず)を操作することによって所望するメニュー項目をダイレクトに選択指定すればよい。
【００５８】
このように構成された回転型、スライド型の携帯電話装置においても、上述した折畳・回転型(複合型)と同様の効果を有する。すなわち、これらの携帯電話装置は、装置本体のスタイル変化に拘らず、内容的に同一のメニュー画面を同一の表示部に出力可能であると共に、どのようなスタイルでもメニュー選択操作が可能であり、さらにはスタイルに応じて操作性あるいは視読性を重視したメニュー画面を表示することができる。
【００５９】
また、上述した実施例においては、カメラ撮影時にムービー撮影を中止するかを問い合わせるための確認メニュー画面を表示出力させる際に、「オープンスタイル」であれば、確認第１メニュー画面を表示出力させ、「ビュースタイル」であれば、確認第２メニュー画面を表示出力させたが、確認第２メニュー画面は、「ビュースタイル」に限らず、他のスタイルであってもよい。また、現在のスタイルに応じて確認第１メニュー画面あるいは確認第２メニュー画面を選択的に表示するようにしたが、ムービー撮影時、スチルカメラ撮影時に限らず、たとえば、トップメニュー画面の「アプリ」、「カメラ」、「ムービー」、「Ｗｅｂ」、「メール」、「設定」に対応するサブメニュー画面を表示出力する場合でもよく、どのような種類のメニュー画面であっても、上述と同様に適用可能である。
【００６０】
また、確認第１メニュー画面において、各メニュー項目に付加されている選択肢情報は、数値に限らず、文字、記号、図形などあってもよく、また、それらの組み合わせであってもよいが、選択肢情報とキーとを１対１に対応付ければ、ワンタッチ操作によってメニュー選択が可能となる。
その他、装置本体は、上部筐体と下部筐体に限らず、３種類の筐体によって構成してもよい。また、携帯電話装置に限らず、たとえば、ＰＤＡなどの携帯端末装置であっても同様に適用可能である。
【００６１】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、メニュー画面を表示部に出力させる際に、何れかの筐体に備えられているキー操作部が他の筐体によって覆い隠されてしまって操作不可能な状態のスタイルであるか、操作可能な状態のスタイルであるかを複数の筐体の位置関係に基づいて判別する機能と、前記キー操作部を操作可能な状態のスタイルであることが判別された際に、当該キー操作部からのキー入力データによって任意のメニュー項目をダイレクト選択することが可能な選択肢情報付きのメニュー項目を複数配置して成る第１のメニュー画面を表示部に出力する機能と、前記キー操作部を操作不可能な状態のスタイルであることが判別された際に、前記第１のメニュー画面から前記選択肢情報を除いた同一内容の第２のメニュー画面を表示部に出力する機能とを実現させるためのプログラムを記録したコンピュータが読み取り可能な記録媒体を提供するようにしてもよい。
【図面の簡単な説明】
【００６２】
【図１】折畳・回転型(複合型)のカメラ付き携帯電話装置において、(Ａ)は、装置本体を閉じた状態を示した正面図、(Ｂ)は、装置本体を開いた状態の正面図、(Ｃ)は、装置本体を開いた状態の背面図。
【図２】(Ａ)は、上部筐体１を１８０°回転させてメイン表示部３を逆向き(背面側)に回転させた状態を示し、(Ｂ)は、メイン表示部３を逆向きに回転させた状態から上部筐体１を下部筐体２に重ね合わせた状態を示した図。
【図３】カメラ撮影時において、ムービー録画を中止するのかを問い合わせる確認メニュー画面として、(Ａ)は、「正転オープンスタイル」で表示される確認第１メニュー画面を示し、(Ｂ)は、「ビュースタイル」で表示される確認第２メニュー画面を示した図。
【図４】確認メニュー画面対応のコマンドテーブル１３の内容を示した図。
【図５】折畳・回転型(複合型)のカメラ付き携帯電話装置の基本的な構成要素を示したブロック図。
【図６】電源投入に伴って実行開始される携帯電話装置の動作を示したフローチャート。
【図７】図６に続く、携帯電話装置の動作を示したフローチャート。
【図８】図７で示した確認メニュー処理(ステップＳ２１)を詳述するためのフローチャート。
【図９】トップメニュー画面の内容を示した図。
【図１０】回転型の携帯電話装置に適用した場合を示し、Ａ)は、装置本体を閉じて状態、(Ｂ)は、回転支軸２０６を中心として下部筐体２０２を回転し始めた途中の過渡状態を示し、(Ｃ)は、装置本体を開いた状態を示した図。
【図１１】スライド型の携帯電話装置に適用した場合を示し、 (Ａ)は、装置本体を閉じた状態を示し、(Ｂ)は、装置本体を開いた状態を示した図。
【図１２】スライド型の携帯電話装置のスライド構造を説明するための図。
【図１３】スライド型の携帯電話装置において、現在のスタイルを検出するスタイル検出部を説明するための図。
【符号の説明】
【００６３】
１、２０１、３０１  上部筐体
２、２０２、３０２  下部筐体
３  メイン表示部
４、２０５、３０５    キー操作部(メイン操作部)
５  連結部
６  回転支軸
８  第１磁気センサ
９  第２磁気センサ
１０、２０４、３０４  サブ操作部  
１０Ｂ  上カーソルキー  
１０Ｃ  下カーソルキー
１０Ｄ  決定キー
１３  コマンドテーブル
１０１  ＣＰＵ
１０２  記憶部
１０３  メモリ
１１７  外部コネクタ
２０３、３０３  表示部
２０６  連結軸 (回転支軸)
３０６a、３０６ｂ、３０７ａ、３０７ｂ  レール部材
３０８  マグネット
３０９  磁気センサ
【図１】
2006121449.tif 000003
【図２】
2006121449.tif 000004
【図３】
2006121449.tif 000005
【図４】
2006121449.tif 000006
【図５】
2006121449.tif 000007
【図６】
2006121449.tif 000008
【図７】
2006121449.tif 000009
【図８】
2006121449.tif 000010
【図９】
2006121449.tif 000011
【図１０】
2006121449.tif 000012
【図１１】
2006121449.tif 000013
【図１２】
2006121449.tif 000014
【図１３】
2006121449.tif 000015